(57)【要約】【課題】スケジュールに予定が入っていない行動をユーザーがとった場合でも、ユーザー指定の発呼に対して適切な対応をとることができる構内交換機システムを提供する。【解決手段】携帯装置ＣＡは、構内交換機１からの位置確認リクエストに応答して現在位置をユーザー現在位置として送信する応答部９１とを具備し、構内交換機１は、ユーザー情報５１と、スケジュール情報５２と、レイアウト情報５３と、ユーザー指定の発呼を受け付けると、ユーザー情報５１の携帯装置特定情報に基づいて特定した携帯装置ＣＡに位置確認リクエストを送信するユーザー状況判定部４１と、携帯装置ＣＡから受信したユーザー現在位置がスケジュール情報と異なる場合、ユーザー現在位置とレイアウト情報とに基づいてユーザー近隣に設置されている構内電話番号の電話機ＴＥを着呼する着呼制御部４４とを備えている。【選択図】図１
2018174452.tif 000002
【特許請求の範囲】
【請求項１】
ユーザーが携帯する携帯装置と、接続された電話機相互間の通話路や前記電話機と公衆回線網との通話路の形成する構内交換機とを備え、
前記携帯装置は、
現在位置を測定する位置測定部と、
前記構内交換機からの位置確認リクエストに応答して前記位置測定部によって測定された現在位置をユーザー現在位置として送信する応答部とを具備し、
前記構内交換機は、
ユーザーを特定するユーザー特定情報、ユーザーが携帯している前記携帯装置を特定する携帯装置特定情報、及びユーザーが在席時に使用する前記電話機の構内電話番号が関連付けて登録されているユーザー情報と、
会議を行う日時を示す日時情報、及び会議を行う会議場所が関連付けて登録されているスケジュール情報と、
構内のレイアウト、及び構内に設置されている前記電話機の配置情報を有するレイアウト情報と、
ユーザー指定の発呼を受け付けると、前記ユーザー情報の前記携帯装置特定情報に基づいて特定した前記携帯装置に前記位置確認リクエストを送信するユーザー状況判定部と、
前記携帯装置から受信した前記ユーザー現在位置が前記スケジュール情報と異なる場合、前記ユーザー現在位置と前記レイアウト情報とに基づいてユーザー近隣に設置されている構内電話番号の前記電話機を着呼する着呼制御部と、を具備することを特徴とする構内交換機システム。
【請求項２】
前記ユーザー情報には、発呼元の優先順位を示す発呼元ランクが登録されていると共に、前記レイアウト情報には、場所の優先順位を示す場所ランクが登録されており、
前記着呼制御部は、前記発呼元ランクが前記場所ランク以上の場合に、ユーザー近隣に設置されている構内電話番号の前記電話機を着呼することを特徴とする請求項１記載の構内交換機システム。
【請求項３】
前記発呼元ランクが前記場所ランク未満の場合に、ユーザーが席を外していることを通知するメッセージを生成して発呼元に応答するメッセージ生成部を具備することを特徴とする請求項２記載の構内交換機システム。
【請求項４】
前記ユーザー情報には、発呼元の優先順位を示す発呼元ランクが登録されていると共に、前記スケジュール情報には、会議の優先順位を示す会議ランクが登録されており、
前記着呼制御部は、
前記携帯装置から受信した前記ユーザー現在位置が前記スケジュール情報通りの前記会議場所であり、前記発呼元ランクが前記会議ランク以上の場合に、前記会議場所に設置されている構内電話番号の前記電話機を着呼することを特徴とする請求項１乃至３のいずれかに記載の構内交換機システム。
【請求項５】
前記発呼元ランクが前記会議ランク未満の場合に、ユーザーが席を外していることを通知すると共に、前記スケジュール情報に基づいて会議の終了予定時刻もしくは次の在席予定期間を通知するメッセージを生成して発呼元に応答するメッセージ生成部を具備することを特徴とする請求項４記載の構内交換機システム。
【発明の詳細な説明】
【技術分野】
【０００１】
本発明は、局線や内線からの発呼に応答する構内交換機システムに関する。
【背景技術】
【０００２】
着呼者のスケジュールに基づいて応答メッセージの送信や転送を行う技術が提案されている（例えば、特許文献１参照）。
【先行技術文献】
【特許文献】
【０００３】
【特許文献１】特開２００４−３４９８０２号公報
【発明の概要】
【発明が解決しようとする課題】
【０００４】
しかしながら、急な打ち合わせ等でスケジュール情報を更新することなく、自席を離れた場合、従来技術では、スケジュールに予定が入っていないときの不在は想定されておらず、適切な対応をとることができないという問題点があった。
【０００５】
本発明は、上記問題点を鑑みてなされたものであり、その目的とするところは、スケジュールに予定が入っていない行動をユーザーがとった場合でも、ユーザー指定の発呼に対して適切な対応をとることができる構内交換機システムを提供することを目的とする。
【課題を解決するための手段】
【０００６】
本発明の構内交換機システムは、ユーザーが携帯する携帯装置と、接続された電話機相互間の通話路や前記電話機と公衆回線網との通話路の形成する構内交換機とを備え、前記携帯装置は、現在位置を測定する位置測定部と、前記構内交換機からの位置確認リクエストに応答して前記位置測定部によって測定された現在位置をユーザー現在位置として送信する応答部とを具備し、前記構内交換機は、ユーザーを特定するユーザー特定情報、ユーザーが携帯している前記携帯装置を特定する携帯装置特定情報、及びユーザーが在席時に使用する前記電話機の構内電話番号が関連付けて登録されているユーザー情報と、会議を行う日時を示す日時情報、及び会議を行う会議場所が関連付けて登録されているスケジュール情報と、構内のレイアウト、及び構内に設置されている前記電話機の配置情報を有するレイアウト情報と、ユーザー指定の発呼を受け付けると、前記ユーザー情報の前記携帯装置特定情報に基づいて特定した前記携帯装置に前記位置確認リクエストを送信するユーザー状況判定部と、前記携帯装置から受信した前記ユーザー現在位置が前記スケジュール情報と異なる場合、前記ユーザー現在位置と前記レイアウト情報とに基づいてユーザー近隣に設置されている構内電話番号の前記電話機を着呼する着呼制御部と、を具備することを特徴とする。
さらに、本発明の構内交換機システムにおいて、前記ユーザー情報には、発呼元の優先順位を示す発呼元ランクが登録されていると共に、前記レイアウト情報には、場所の優先順位を示す場所ランクが登録されており、前記着呼制御部は、前記発呼元ランクが前記場所ランク以上の場合に、ユーザー近隣に設置されている構内電話番号の前記電話機を着呼しても良い。
さらに、本発明の構内交換機システムにおいて、前記発呼元ランクが前記場所ランク未満の場合に、ユーザーが席を外していることを通知するメッセージを生成して発呼元に応答するメッセージ生成部を具備しても良い。
さらに、本発明の構内交換機システムにおいて、前記ユーザー情報には、発呼元の優先順位を示す発呼元ランクが登録されていると共に、前記スケジュール情報には、会議の優先順位を示す会議ランクが登録されており、前記着呼制御部は、前記携帯装置から受信した前記ユーザー現在位置が前記スケジュール情報通りの前記会議場所であり、前記発呼元ランクが前記会議ランク以上の場合に、前記会議場所に設置されている構内電話番号の前記電話機を着呼しても良い。
さらに、本発明の構内交換機システムにおいて、前記発呼元ランクが前記会議ランク未満の場合に、ユーザーが席を外していることを通知すると共に、前記スケジュール情報に基づいて会議の終了予定時刻もしくは次の在席予定期間を通知するメッセージを生成して発呼元に応答するメッセージ生成部を具備しても良い。
【発明の効果】
【０００７】
本発明によれば、ユーザー現在位置とレイアウト情報とに基づく電話機ＴＥに着呼することができるため、スケジュールに予定が入っていない行動をユーザーがとった場合でも、ユーザー指定の発呼に対して適切な対応をとることができるという効果を奏する。
【図面の簡単な説明】
【０００８】
【図１】本発明に係る構内交換機システムの実施の形態の概略構成を示すブロック図である。
【図２】図１に示するユーザー情報例及びスケジュール情報例を示す図である。
【図３】図１に示すレイアウト情報例を示す図である。
【図４】図１に示す構内交換機の動作を説明するフローチャートである。
【図５】図１に示す携帯装置の動作を説明するフローチャートである。
【発明を実施するための形態】
【０００９】
以下、図を参照して本発明の実施の形態を詳細に説明する。なお、以下の実施形態において、同様の機能を示す構成には、同一の符号を付してある。
【００１０】
本実施の形態の構内交換機システムは、図１を参照すると、構内交換機１と、インターネットやＬＡＮ等のネットワーク２を介して構内交換機１と通信可能に構成されている携帯装置ＣＡ（ＣＡ１〜ＣＡｎ）とを備えている。構内交換機１は、ユーザーを特定した発呼を受け付けると、各ユーザーが携帯している携帯装置ＣＡに基づいて、ユーザー状況を確認し、ユーザー状況に応じた応答動作を実行する。なお、携帯装置ＣＡとしては、社員カード、ＩＤカード、ネームプレート等の構内においてユーザーが常に携帯しているものを用いると良い。
【００１１】
構内交換機１は、通話路スイッチ３と、内線トランクＬＣ（ＬＣ１~ＬＣｎ）と、局線トランクＣＯＴと、制御部４と、情報記憶部５と、インターフェース部６とを備えている。
【００１２】
通話路スイッチ３は、制御部４の制御に基づいて、電話機ＴＥ（ＴＥ１〜ＴＥｎ）相互間の通話路の形成、電話機ＴＥ１〜ＴＥｎと公衆回線網７との通話路の形成を実行する。
【００１３】
内線トランクＬＣ１〜ＬＣｎは、通話路スイッチ３に接続され、それぞれ電話機ＴＥ１〜ＴＥｎを収容している。局線トランクＣＯＴは、通話路スイッチ３に接続され、公衆回線網７に接続された局線を収容している。
【００１４】
制御部４は、ＣＰＵ（Central Processing Unit）、ＲＯＭ（Read Only Memory）、ＲＡＭ（Random Access Memory）等を備えたマイクロコンピュータ等の演算処理回路である。ＲＯＭには構内交換機１の動作制御を行うための制御プログラムが記憶されている。制御部４は、ＲＯＭに記憶されている制御プログラムを読み出し、制御プログラムをＲＡＭに展開させることで、装置全体の制御を行う。また、制御部４は、ユーザー状況判定部４１、ランク判定部４２、メッセージ生成部４３、着呼制御部４４として機能する。
【００１５】
情報記憶部５は、半導体メモリーやＨＤＤ（Hard Disk Drive）等の記憶手段である。記憶部５には、ユーザー情報５１と、スケジュール情報５２と、レイアウト情報５３とが記憶されている。ユーザー情報５１、スケジュール情報５２及びレイアウト情報５３は、例えば、ネットワーク２に接続されたコンピュータ等の端末装置８から登録、変更、削除が行われる。
【００１６】
ユーザー情報５１は、ユーザー毎に設定された情報である。ユーザー情報５１は、図２（ａ）を参照すると、ユーザーを特定するユーザー特定情報と、ユーザーが携帯している携帯装置ＣＡを特定する携帯装置特定情報と、ユーザーが在席時に使用する電話機ＴＥの構内電話番号と、発呼元ランク情報とが関連付けて登録されている。発呼元ランク情報は、発呼元の優先順位を示す情報であり、外線番号や内線番号が登録される。本実施の形態では、発呼元ランク情報として、最も上位のＡランクと、その次のＢランクとが登録可能になっている。
【００１７】
スケジュール情報５２は、ユーザー毎にスケジュールであり、図２（ｂ）に示すように、会議を行う日時を示す日時情報と、会議を行う会議場所と、会議ランクとが関連付けて登録されている。会議ランクは、会議の優先順位を示す情報であり、スケジュールの登録時に合わせて受け付ける。本実施の形態では、会議ランクとして、最も上位のＡランクと、その次のＢランクとが登録可能になっている。
【００１８】
レイアウト情報５３は、図３に示すように、構内のレイアウトと、構内に設置されている電話機ＴＥ１〜ＴＥ１０の配置情報と、場所ランク情報とを有している。場所ランク情報は、会議室やミーティングエリア等の場所の優先順位を示す情報である。本実施の形態では、場所ランク情報として、最も上位のＡランクと、その次のＢランクとが登録可能になっている。また、図３には図示されていないが、レイアウト情報５３には、各ユーザーの在席場所の情報を有している。
【００１９】
携帯装置ＣＡは、応答部９１と、測定部電源スイッチ９２と、位置測定部９３と、着信通知部９４とを備えている。
【００２０】
応答部９１は、ネットワーク２を介して構内交換機１から受信した位置確認リクエストに応答し、現在位置もしくは取得不能通知を構内交換機１に送信する。また、応答部９１は、位置確認リクエストに発呼元ランクが付加されている場合、着信通知部９４によってユーザーに着信を通知する。
【００２１】
測定部電源スイッチ９２は、位置測定部９３の電源をオンオフするスイッチであり、ユーザーが操作可能であると共に、応答部９１の制御によって操作可能に構成されている。
【００２２】
位置測定部９３は、携帯装置ＣＡの構内における位置を測定する。位置測定部９３としては、例えばＧＰＳ（全地球測位システム）を用いる。また、位置測定部９３は、構内に設置した複数の発信機から出力される信号に基づいて位置を測定するビーコンであっても良い。
【００２３】
着信通知部９４は、圧電素子等で構成された振動発生部である。着信通知部９４は、応答部９１の指示に基づいて振動を発生させ、携帯装置ＣＡを携帯しているユーザーに着信を通知する。
【００２４】
次に、本実施の形態の構内交換機システムの動作について図４及び図５を参照して詳細に説明する。
【００２５】
まず、図４を参照して、構内交換機１の動作を説明する。構内交換機１の制御部４は、ユーザー指定の発呼を受け付けると（ステップＳ１０１）、ユーザー状況判定部４１として機能する。ユーザー状況判定部４１は、指定されたユーザーのユーザー情報を参照して、ユーザーが携帯している携帯装置ＣＡを特定すると共に（ステップＳ１０２）、発呼元の電話番号の発呼元ランク情報への登録を確認する（ステップＳ１０３）。また、ユーザー状況判定部４１は、スケジュール情報５２を参照してユーザーのスケジュールを確認する（ステップＳ１０４）。
【００２６】
次に、ユーザー状況判定部４１は、インターフェース部６経由で位置確認リクエストをステップＳ１０２で特定した携帯装置ＣＡに送信する（ステップＳ１０５）。なお、ステップＳ１０３で発呼元の電話番号が発呼元ランク情報に登録されている場合、ステップＳ１０５において、発呼元ランク（ＡｏｒＢランク）を位置確認リクエストに付加して送信する。
【００２７】
次に、図５を参照して位置確認リクエストを受信した携帯装置ＣＡの動作について説明する。
【００２８】
応答部９１は、構内交換機１から位置確認リクエストを受信すると（ステップＳ２０１）、位置測定部９３の電源がオンになっているか否かを判断する（ステップＳ２０２）。
【００２９】
ステップＳ２０２で位置測定部９３の電源がオンの場合、応答部９１は、位置測定部９３によって測定した現在位置を構内交換機１に送信する（ステップＳ２０３）。
【００３０】
次に、応答部９１は、発呼元ランクが位置確認リクエストに付加されているか否かを判断する（ステップＳ２０４）。
【００３１】
ステップＳ２０４で発呼元ランクが付加されている場合、応答部９１は、着信通知部９４によって振動を発生させ、携帯装置ＣＡを携帯しているユーザーに着信を通知し（ステップＳ２０５）、動作を終了させる。なお、着信通知部９４によって発生させる振動は、発呼元ランクに応じて振動パターンを変更すると、ユーザーが発呼元ランクを認識することができ、好適である。ステップＳ２０４で発呼元ランクが付加されていない場合、応答部９１は、そのまま動作を終了される。
【００３２】
ステップＳ２０２で位置測定部９３の電源がオフの場合、応答部９１は、発呼元ランクが位置確認リクエストに付加されているか否かを判断する（ステップＳ２０６）。
【００３３】
ステップＳ２０６で発呼元ランクが付加されている場合、応答部９１は、測定部電源スイッチ９２を操作して位置測定部９３の電源をオンさせ（ステップＳ２０７）、位置測定部９３によって測定した現在位置を構内交換機１に送信し（ステップＳ２０８）、ステップＳ２０５に至る。
【００３４】
ステップＳ２０６で発呼元ランクが付加されていない場合、応答部９１は、現在位置が取得不能であることを知らせる取得不能通知を構内交換機１に送信し（ステップＳ２０９）、動作を終了させる。
【００３５】
再び、図４を参照して、構内交換機１の動作を説明する。ユーザー状況判定部４１は、ステップＳ１０４で送信した位置確認リクエストに対する応答として、携帯装置ＣＡから現在位置が受信されたか否かを判断する（ステップＳ１０６）。
【００３６】
ステップＳ１０６で現在位置ではなく取得不能通知が受信された場合、ユーザー状況判定部４１は、スケジュール情報５２に基づいてユーザーは在席中か否かを判断する（ステップＳ１０７）。
【００３７】
ステップＳ１０７でユーザーが在席中である場合、制御部４は着呼制御部４４として機能し、ユーザー情報５１に登録されている基づく構内電話番号の電話機ＴＥを着呼して（ステップＳ１０８）、動作を終了させる。
【００３８】
ステップＳ１０７でユーザーが在席中でなく会議中である場合、制御部４はランク判定部４２として機能する。ランク判定部４２は、発呼元ランクとスケジュール情報５２に登録されている会議ランクと比較し（ステップＳ１０９）、発呼元ランクが会議ランク以上か否かを判断する（ステップＳ１１０）。
【００３９】
ステップＳ１１０で呼元ランクが会議ランク以上である場合、制御部４は着呼制御部４４として機能し、スケジュール情報５２とレイアウト情報５３とに基づいてスケジュール情報５２に登録されている会議場所に設置されている構内電話番号の電話機ＴＥを着呼して（ステップＳ１１１）、動作を終了させる。例えば、３月２１日１０時３０分に第１会議室で会議中のユーザーＸ氏を指定した発呼が「内線１００１」からあった場合、図２に示すユーザー情報５１及びスケジュール情報５２によると、ステップＳ１１０で呼元ランク（Ａランク）が会議ランク（Ａランク）以上になる。従って、図３に示すレイアウト情報５３を参照すると、ステップＳ１１１では、第１会議室に設置されている内線１１０１の電話機ＴＥ８が着呼されることになる。
【００４０】
ステップＳ１１０で呼元ランクが会議ランク未満である場合、制御部４はメッセージ生成部４３として機能し、ユーザーが席を外していることを通知するメッセージを生成して発呼元に応答し（ステップＳ１１２）、動作を終了させる。なお、ステップＳ１１１で生成するメッセージには、スケジュール情報５２に基づいて会議の終了予定時刻や次の在席予定期間を含めるようにしても良い。例えば、３月２１日１０時３０分に第１会議室で会議中のユーザーＸ氏を指定した発呼がＢランクもしくはユーザー情報５１に登録されていない電話番号からあった場合、図２に示すユーザー情報５１及びスケジュール情報５２によると、ステップＳ１１０で呼元ランク（Ｂランク以下）が会議ランク（Ａランク）未満になる。従って、会議中のユーザーＸ氏に向けて着呼が行われることなく、ステップＳ１１２でメッセージ応答が行われる。
【００４１】
ステップＳ１０６で現在位置が受信された場合、ユーザー状況判定部４１は、ユーザーの現在位置がスケジュール情報５２に基づくスケジュール通りか否かを判断し（ステップＳ１１３）、スケジュール通りの場合には、ステップＳ１０７に至る。
【００４２】
ステップＳ１１３でスケジュール通りでない場合、制御部４はランク判定部４２として機能する。ランク判定部４２は、発呼元ランクとレイアウト情報５３に設定されている場所ランクと比較し（ステップＳ１１４）、発呼元ランクが場所ランク以上か否かを判断する（ステップＳ１１５）。
【００４３】
ステップＳ１１５で呼元ランクが場所ランク以上である場合、制御部４は着呼制御部４４として機能し、現在位置とレイアウト情報５３とに基づいてユーザー近隣に設置されている構内電話番号の電話機ＴＥを着呼して（ステップＳ１１６）、動作を終了させる。例えば、第２ミーティングエリアで会議中のユーザーＸ氏を指定した発呼が「内線1002」からあった場合、図２に示すユーザー情報５１及びレイアウト情報５３によると、ステップＳ１１５で呼元ランク（Ｂランク）が場所ランク（Ｂランク）以上になる。従って、ステップＳ１１６では、第２ミーティングエリアの近隣に設置されている内線１００７の電話機ＴＥ７が着呼されることになる。
【００４４】
ステップＳ１１５で呼元ランクが場所ランク未満である場合、制御部４はメッセージ生成部４３として機能し、ユーザーが席を外していることを通知するメッセージを生成して発呼元に応答し（ステップＳ１１７）、動作を終了させる。例えば、第２ミーティングエリアで会議中のユーザーＸ氏を指定した発呼がユーザー情報５１に登録されていない電話番号からあった場合、図２に示すユーザー情報５１及びレイアウト情報５３によると、ステップＳ１１５で呼元ランク（ランクなし）が会議ランク（Ｂランク）未満になる。従って、会議中のユーザーＸ氏に向けて着呼が行われることなく、ステップＳ１１７でメッセージ応答が行われる。
【００４５】
以上説明したように、本実施の形態によれば、ユーザーが携帯する携帯装置ＣＡと、接続された電話機ＴＥ相互間の通話路や電話機ＴＥと公衆回線網７との通話路の形成する構内交換機１とを備え、携帯装置ＣＡは、現在位置を測定する位置測定部９３と、構内交換機１からの位置確認リクエストに応答して位置測定部９３によって測定された現在位置をユーザー現在位置として送信する応答部９１とを具備し、構内交換機１は、ユーザーを特定するユーザー特定情報、ユーザーが携帯している携帯装置ＣＡを特定する携帯装置特定情報、及びユーザーが在席時に使用する電話機ＴＥの構内電話番号が関連付けて登録されているユーザー情報５１と、会議を行う日時を示す日時情報、及び会議を行う会議場所が関連付けて登録されているスケジュール情報５２と、構内のレイアウト、及び構内に設置されている電話機ＴＥの配置情報を有するレイアウト情報５３と、ユーザー指定の発呼を受け付けると、ユーザー情報５１の携帯装置特定情報に基づいて特定した携帯装置ＣＡに位置確認リクエストを送信するユーザー状況判定部４１と、携帯装置ＣＡから受信したユーザー現在位置がスケジュール情報と異なる場合、ユーザー現在位置とレイアウト情報とに基づいてユーザー近隣に設置されている構内電話番号の電話機ＴＥを着呼する着呼制御部４４とを備えている。
この構成により、ユーザー現在位置とレイアウト情報とに基づく電話機ＴＥに着呼することができるため、スケジュールに予定が入っていない行動をユーザーがとった場合でも、ユーザー指定の発呼に対して適切な対応をとることができる。
【００４６】
さらに、本実施の形態において、ユーザー情報５１には、発呼元の優先順位を示す発呼元ランクが登録されていると共に、レイアウト情報５３には、場所の優先順位を示す場所ランクが登録されており、着呼制御部４４は、発呼元ランクが場所ランク以上の場合に、ユーザー近隣に設置されている構内電話番号の電話機ＴＥを着呼する。また、発呼元ランクが場所ランク未満の場合に、ユーザーが席を外していることを通知するメッセージを生成して発呼元に応答するメッセージ生成部４３を備えている。
この構成により、場所ランクよりも優先順位の高い発呼先ランクを選択して着呼することができる。
【００４７】
さらに、本実施の形態において、ユーザー情報５１には、発呼元の優先順位を示す発呼元ランクが登録されていると共に、スケジュール情報５２には、会議の優先順位を示す会議ランクが登録されており、着呼制御部４４は、携帯装置ＣＡから受信したユーザー現在位置がスケジュール情報通りの会議場所であり、発呼元ランクが会議ランク以上の場合に、会議場所に設置されている構内電話番号の電話機ＴＥを着呼する。また、発呼元ランクが会議ランク未満の場合に、ユーザーが席を外していることを通知すると共に、スケジュール情報５２に基づいて会議の終了予定時刻もしくは次の在席予定期間を通知するメッセージを生成して発呼元に応答するメッセージ生成部４３を備えている。
この構成により、会議ランクよも優先順位の高い発呼先ランクを選択して着呼することができる。
【００４８】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【符号の説明】
【００４９】
１  構内交換機
２  ネットワーク
３  通話路スイッチ
４  制御部
５  情報記憶部
６  インターフェース部
７  公衆回線網
８  端末装置
４１  ユーザー状況判定部
４２  ランク判定部
４３  メッセージ生成部
４４  着呼制御部
５１  ユーザー情報
５２  スケジュール情報
５３  レイアウト情報
９１  応答部
９２  測定部電源スイッチ
９３  位置測定部
９４  着信通知部
ＣＡ、ＣＡ１〜ＣＡｎ  携帯装置
ＣＯＴ  局線トランク
ＬＣ、ＬＣ１〜Ｌｃｎ  内線トランク
ＴＥ、ＴＥ１〜ＴＥｎ  電話機
【図１】
2018174452.tif 000003
【図２】
2018174452.tif 000004
【図３】
2018174452.tif 000005
【図４】
2018174452.tif 000006
【図５】
2018174452.tif 000007